(57)【要約】【課題】  バックライト装置の薄型化、およびバックライト装置の発光面の大型化に適用可能な導光板を得る。【解決手段】  導光板２は、表面１１ａの反対面側から入射した外部光を、一度の反射により、第２の方向に屈曲させる屈曲部１７と、第２の方向に屈曲させた外部光を、全反射させて内部で導光させると共に、複数の表面（５２ｅ・５２ｈ・５２ｊ）で、第１の方向に反射させて導光部１１に入射させる導光部１５とを備え、複数の表面（５２ｅ・５２ｈ・５２ｊ）に関し、屈曲部１７からの距離が遠い表面ほど、面積が大きく設定されている。【選択図】  図１
2006310058.tif 000002
【特許請求の範囲】
【請求項１】
第１の方向から入射する所定光を、所定の面に沿って導光させながら、前記所定の面から外部に射出する導光部を備えた導光板において、
前記所定の面の反対面側から入射した外部光を、一度の反射により、第２の方向に屈曲させる屈曲部と、
前記第２の方向に屈曲させた外部光を、全反射させて内部で導光させると共に、複数の反射面で、前記第１の方向に反射させて前記導光部に入射させる他の導光部とを備え、
前記屈曲部からの距離が遠い反射面ほど、反射面の面積が大きく設定されていることを特徴とする導光板。
【請求項２】
前記第２の方向にて隣接する反射面同士は、互いに、平行に配されていることを特徴とする請求項１記載の導光板。
【請求項３】
各反射面は、前記所定の面に対して垂直に形成されていることを特徴とする請求項１または２記載の導光板。
【請求項４】
前記各反射面は、矩形状を有すると共に、前記所定の面に平行な辺と、前記所定の面に垂直な辺とを有しており、
前記平行な辺の長さは、各反射面で同一であって、
前記垂直な辺の長さが、前記屈曲部から遠い位置の反射面ほど、長く設定されていることを特徴とする請求項３記載の導光板。
【請求項５】
前記他の導光部は、前記所定の面の反対面に、複数の溝部を備え、
各溝部は、互いに、溝の延設方向の長さが同一であって、
前記屈曲部からの距離が遠い溝部ほど、溝部の深さが深く設定されており、
各溝部に関し、溝部における前記屈曲部側の壁面が前記反射面を構成していることを特徴とする請求項１から４の何れか１項に記載の導光板。
【請求項６】
前記他の導光部は、第１導光部と第２導光部とからなり、
前記第１導光部と第２導光部とは、前記屈曲部を挟んで配され、
前記屈曲部は、前記所定の面の反対面側から入射した外部光を、前記第２の方向であって、かつ、前記第１導光部の方向となる第１導光部方向と、前記第２の方向であって、かつ、前記第２導光部の方向となる第２導光部方向とに、屈曲させることを特徴とする請求項１から５の何れか１項に記載の導光板。
【請求項７】
前記導光部は、第３導光部と第４導光部とからなり、
前記第３導光部と第４導光部とは、前記屈曲部、第１導光部、および第２導光部を挟んで配され、
前記第１導光部および第２導光部の両導光部とも、前記内部で導光させた光を、前記第１の方向であって、かつ、前記第３導光部の方向となる第３導光部方向と、前記第１の方向であって、かつ、前記第４導光部の方向となる第４導光部方向とに、屈曲させることを特徴とする請求項６記載の導光板。
【請求項８】
前記屈曲部は、前記外部光を反射する屈曲部用第１反射面と屈曲部用第２反射面とを有し、
前記屈曲部用第１反射面が、前記所定の面の反対面側から入射した外部光を前記第１導光部方向に屈曲させ、かつ、前記屈曲部用第２反射面が、前記所定の面の反対面側から入射した外部光を前記第２導光部方向に屈曲させることを特徴とする請求項６または７記載の導光板。
【請求項９】
前記屈曲部用第１反射面と屈曲部用第２反射面とは同一形状であって隣接すると共に、三角柱の２つの側面を形成するものであり、
前記隣接することにより形成される線を交線とし、前記所定の面に垂直な面であって、かつ、前記交線を含む面を特定面とすると、
さらに、前記屈曲部用第１反射面と屈曲部用第２反射面とは、前記特定面に対して同じ角度で、互いに異なる方向に傾斜していることを特徴とする請求項８記載の導光板。
【請求項１０】
前記他の導光部は、前記所定の面の反対面側から入射した外部光であって、かつ、前記屈曲部で屈曲することなく該他の導光部に直接入射した外部光を、全反射させて内部で導光させると共に、前記複数の反射面で、前記第１の方向に反射させて前記導光部に入射させることを特徴とする請求項１から９の何れか１項に記載の導光板。
【請求項１１】
請求項１から１０の何れか１項に記載の導光板と、
前記外部光を発光する発光素子とを備えることを特徴とする照明装置。
【請求項１２】
請求項９記載の導光板と、
前記外部光を発光する発光素子とを備え、
前記発光素子の発光面が、前記特定面に対して対称となる位置に、発光素子が配置されていることを特徴とする照明装置。
【請求項１３】
前記外部光は、ＬＥＤが発する光であることを特徴とする請求項１１または１２記載の照明装置。
【発明の詳細な説明】
【技術分野】
【０００１】
本発明は、入射した光を内部で導光させると共に、導光した光を所定の面から射出する導光板、および、該導光板を備える照明装置に関するものである。
【背景技術】
【０００２】
従来より、液晶表示装置が知られている。そして、このような液晶表示装置には、液晶パネルの背後から光を照射するバックライトが用いられている。このバックライトには、直下式とエッジ式とがある。
【０００３】
直下式のバックライトでは、乳白板に対して、背後から蛍光ランプ等の光源により光を照射する。そして、この照射された光を乳白板で均一に拡散することにより、液晶パネルの背後から光を照射する。
【０００４】
一方、エッジ式のバックライトでは、透明のアクリル板を導光体とし、その一端に光源が設けられている。そして、この導光体内部での多重反射を利用し、アクリル板の液晶パネル側の面から、液晶パネルに光を照射する。
【０００５】
図２５は、エッジ式のバックライトを備えた液晶表示装置の一断面を示した概略図である。同図に示すとおり、液晶表示装置８０は、バックライト８１、反射シート８２、および液晶パネル８３を備えている。また、バックライト８１は、エッジライト９１、透明のアクリル板９２、および光散乱部９３を備えている。
【０００６】
なお、以下では、アクリル板９２の面であって、エッジライト９１からの光が入射する面を、表面９２ａとする。また、アクリル板９２の面であって、液晶パネル８３の表示面と平行となる面を、液晶パネル側から順に、表面９２ｂ、表面９２ｃとする。さらに、アクリル板９２における表面９２ａと反対側の面を、表面９２ｄとする。
【０００７】
エッジライト９１から発せられた光（所定光）は、表面９２ａを介してアクリル板９２に入射する。そして、アクリル板９２に入射した光は、表面（９２ｂ・９２ｃ）（つまり境界面）において全反射を繰り返し、表面９２ｄの方向に導光される。さらに、全反射した光の一部は、表面９２ｃに設けられた光散乱部９３により散乱する。そして、この散乱した光のうち、アクリル板９２の表面９２ｂにおいて全反射を起こさない光が、表面９２ｂから液晶パネル８３方向に射出する。
【０００８】
光散乱部９３は、例えば図２６に示すとおり、複数の円形状の図形からなるパターンにより構成される。また、上記円形状の図形は、各中心が一定間隔で並んでおり、かつ、表面９２ａから遠い位置にあるものほど、円の半径が大きく設定されている。言い換えれば、エッジライト９１から遠い位置にあるものほど、円の半径が大きく設定されている。これは、以下の理由による。
【０００９】
エッジライト９１からアクリル板９２に入射した光の光量は、導光されるにしたがって少なくなる。したがって、上記のように、表面９１ａから遠ざかるにつれて上記円の半径を大きくすることにより、光の散乱量の減少を防ぐことができる。それゆえ、表面９２ｂから均一な光を照射できる。このような理由により、上記のように円の半径を順に変化させている。
【００１０】
反射シート８２は、光散乱部９３に対応する箇所を除いた表面９２ｃから漏れだした光を、アクリル板９２に戻す。これにより、液晶パネルに照射させる光の光量を上げている。
【００１１】
また、非特許文献１には、図２７に示すとおり、エッジライトとして、ＬＥＤを用いたバックライト１００の構成が開示されている。この構成では、ＬＥＤ１０１からの光を、まず、第１のミラー１０２で反射させて、第１の導光板１０３に導いている。さらに、この第１の導光板１０３から射出された光を、第２のミラー１０４で反射させ、該反射させた光を液晶パネルに対向して備えられる第２の導光板１０５に導いている。
【非特許文献１】日経エレクトロニクス  2004.12.20 P57-P62
【非特許文献２】日立化成テクニカルレポート  No.４２（2004-1）
【発明の開示】
【発明が解決しようとする課題】
【００１２】
しかしながら、上記従来の直下式のバックライトでは、乳白板内において、エッジ式のバックライトのように光を多重反射させる構成ではない。それゆえ、十分かつ一様な輝度の照明光を得るためには、光源と乳白板との距離を十分に離す必要がある。それゆえ、液晶表示装置の薄型化は難しいという問題点がある。
【００１３】
また、従来のエッジ式のバックライトでは、液晶表示装置の薄型化は図れるものの、導光方向においてアクリル板９２の大型化を図る場合（つまり、図２６のＬの長さを長くする場合）、以下のような問題点を有する。
【００１４】
つまり、大型化を図る前のパターンと同じように円（同図では黒丸）の半径を大きくしていくと、ある位置より表面９２ｄ寄りにおいて上記円の形が完全に潰れてしまい、表面９２ｂからは均一に光を射出することができないという問題点を有する。
【００１５】
さらに、バックライト８１を、図２８に示すように一定方向に複数並べることにより、大型化を図ることも考えられる。しかしながら、この場合、２つのアクリル板の間に、エッジライト９１が配されるため、各バックライトの配置を所望の位置に精度よく揃えることは難しい。
【００１６】
また、非特許文献１に記載の構成では、ＬＥＤからの光を複数回にわたり反射させる構成であるため、装置自体の薄型化が難しい問題点を有する。
【００１７】
本発明は、上記の問題点に鑑みてなされたものであり、その目的は、バックライト装置の薄型化、およびバックライト装置の発光面の大型化に適用可能な導光板と、前記導光板を備えた照明装置とを提供することにある。
【課題を解決するための手段】
【００１８】
本発明に係る導光板は、上記の課題を解決するため、第１の方向から入射する所定光を、所定の面に沿って導光させながら、前記所定の面から外部に射出する導光部を備えた導光板において、前記所定の面の反対面側から入射した外部光を、一度の反射により、第２の方向に屈曲させる屈曲部と、前記第２の方向に屈曲させた外部光を、全反射させて内部で導光させると共に、複数の反射面で、前記第１の方向に反射させて前記導光部に入射させる他の導光部とを備え、前記屈曲部からの距離が遠い反射面ほど、反射面の面積が大きく設定されていることを特徴としている。
【００１９】
上記の構成によれば、屈曲部により、所定の面の反対面側から入射した外部光を、一度の反射により、第２の方向に屈曲させることができる。また、他の導光部により、第２の方向に屈曲した外部光を、複数の反射面で、第１の方向に反射させて前記導光部に入射させることができる。さらに、この第１の方向に反射して導光部に入射してきた光を、導光部により、所定の面から外部に射出することができる。
【００２０】
それゆえ、一度の反射により、上記他の導光部に光を導くことができるため、複数回の反射を行わせる構成に比べて、導光板自体を薄型化できる。
【００２１】
また、上記導光部において上記所定光を所定の面に沿って導光させるため、従来の直下式のバックライトの構成に比べて、外部光を発する光源を、導光板の上記反対面の近くに設置することができる。
【００２２】
さらに、外部光を発光する光源を、導光板のエッジ部に設置する必要がないため、従来のエッジ式のバックライトの構成に比べ、容易に、上記所定の面をマトリクス状に組み合わせることができる。このため、容易に発光面を大きくすることができる。
【００２３】
したがって、バックライト装置の薄型化、およびバックライト装置の発光面の大型化に好適な導光板を提供することができるという効果を奏する。
【００２４】
また、上記他の導光部により、外部光を、複数の反射面で、上記導光部の方向であって、かつ、前記第１の方向に反射させる。このため、外部光を発する光源として点光源を用いた場合であっても、上記導光部に線状の光を上記所定光として入射させることができる。さらに、導光部により、この線状の光を、面状の光として、上記所定の面から射出できる。
【００２５】
したがって、外部光を発する光源として、点光源を用いることができるという効果も奏する。
【００２６】
ところで、上記他の導光部の各反射面では上述した光の反射が起こるため、該他の導光部内で全反射して導光される光（外部光）の光量は、屈曲部からの距離が遠くなるにつれ、少なくなる。それゆえ、各反射面の面積が同じである場合には、屈曲部からの距離が遠い反射面ほど、反射する光の光量（反射光量）が減少してしまう。
【００２７】
しかしながら、本発明の導光板では、屈曲部からの距離が遠い反射面ほど、反射面の面積が大きく設定されている。このため、各反射面の面積が同じである場合に比べて、上記反射光量の減少量を少なくできる。
【００２８】
それゆえ、各反射面の面積が同じである場合に比べ、均一な光量の光（所定光）を、上記導光部に入射させることができる。
【００２９】
したがって、各反射面の面積が同じである場合よりも、均一な光量の光を、上記所定の面から外部に射出することができるという効果を奏する。
【００３０】
また、本発明に係る導光板は、上記の導光板において、前記第２の方向にて隣接する反射面同士は、互いに、平行に配されていることを特徴としている。
【００３１】
上記の構成によれば、上記第２の方向にて隣接する反射面同士は、互いに、平行に配されているため、反射面が互いに平行に配されていない場合に比べ、上記導光部に対して均一に光を入射させることができる。
【００３２】
したがって、反射面が互いに平行に配されていない場合よりも、均一な光量の光を、上記所定の面から外部に射出することができるという効果を奏する。
【００３３】
また、本発明に係る導光板は、上記の導光板において、各反射面は、前記所定の面に対して垂直に形成されていることを特徴としている。
【００３４】
上記の構成によれば、各反射面は、前記所定の面に対して垂直に形成されているため、反射面が所定の面に対して垂直に形成されていない場合に比べ、効率よく、上記導光部に光を入射することができる。
【００３５】
したがって、反射面が所定の面に対して垂直に形成されていない場合よりも、多くの光を、上記所定の面から外部に射出することができるという効果を奏する。
【００３６】
また、本発明に係る導光板は、上記の導光板において、前記各反射面は、矩形状を有すると共に、前記所定の面に平行な辺と、前記所定の面に垂直な辺とを有しており、前記平行な辺の長さは、各反射面で同一であって、前記垂直な辺の長さが、前記屈曲部から遠い位置の反射面ほど、長く設定されていることを特徴としている。
【００３７】
上記の構成によれば、所定の面に平行な辺の長さは、各反射面で同一であって、かつ、所定の面に垂直な辺の長さは、前記屈曲部から遠い位置の反射面ほど、長く設定されている。
【００３８】
したがって、前記屈曲部から遠い位置の反射面ほど、反射面の面積を大きく設定することができるという効果を奏する。
【００３９】
また、本発明に係る導光板は、上記の導光板において、前記他の導光部は、前記所定の面の反対面に、複数の溝部を備え、各溝部は、互いに、溝の延設方向の長さが同一であって、前記屈曲部からの距離が遠い溝部ほど、溝部の深さが深く設定されており、各溝部に関し、溝部における前記屈曲部側の壁面が前記反射面を構成していることを特徴としている。
【００４０】
上記の構成によれば、各溝部は、互いに、溝の延設方向の長さが同一であって、かつ、屈曲部からの距離が遠い溝部ほど、溝部の深さが深く設定されているため、前記屈曲部から遠い位置の溝部ほど、前記屈曲部側の壁面の面積を大きく設定することができる。さらに、前記屈曲部側の壁面が前記反射面を構成している。
【００４１】
したがって、前記屈曲部から遠い位置の反射面ほど、反射面の面積を大きく設定することができるという効果を奏する。
【００４２】
また、本発明に係る導光板は、上記の導光板において、前記他の導光部は、第１導光部と第２導光部とからなり、前記第１導光部と第２導光部とは、前記屈曲部を挟んで配され、前記屈曲部は、前記所定の面の反対面側から入射した外部光を、前記第２の方向であって、かつ、前記第１導光部の方向となる第１導光部方向と、前記第２の方向であって、かつ、前記第２導光部の方向となる第２導光部方向とに、屈曲させることを特徴としている。
【００４３】
上記の構成によれば、屈曲部により、所定の面の反対面側から入射した外部光を、それぞれ一度の反射により、上記第１導光部方向と第２導光部方向とに屈曲させることができる。
【００４４】
したがって、屈曲部の両側にある、２つの導光部（第１導光部および第２導光部）を介して、上記導光部の所定の面から光を射出することができるという効果を奏する。
【００４５】
また、本発明に係る導光板は、上記の導光板において、前記導光部は、第３導光部と第４導光部とからなり、前記第３導光部と第４導光部とは、前記屈曲部、第１導光部、および第２導光部を挟んで配され、前記第１導光部および第２導光部の両導光部とも、前記内部で導光させた光を、前記第１の方向であって、かつ、前記第３導光部の方向となる第３導光部方向と、前記第１の方向であって、かつ、前記第４導光部の方向となる第４導光部方向とに、屈曲させることを特徴としている。
【００４６】
上記の構成によれば、第１導光部により、前記内部で導光させた光を、前記第１の方向であって、かつ、前記第３導光部の方向となる第３導光部方向と、前記第１の方向であって、かつ、前記第４導光部の方向となる第４導光部方向とに、屈曲させることができる。また、第２導光部により、同様に、前記内部で導光させた光を、上記第３導光部方向と上記第４導光部方向とに、屈曲させることができる。
【００４７】
したがって、２つの導光部（第１導光部および第２導光部）を介して、前記屈曲部、第１導光部、および第２導光部の両側にある、２つの導光部（第３導光部および第４導光部）の所定の面から光を射出することができるという効果を奏する。
【００４８】
また、本発明に係る導光板は、上記の導光板において、前記屈曲部は、前記外部光を反射する屈曲部用第１反射面と屈曲部用第２反射面とを有し、前記屈曲部用第１反射面が、前記所定の面の反対面側から入射した外部光を前記第１導光部方向に屈曲させ、かつ、前記屈曲部用第２反射面が、前記所定の面の反対面側から入射した外部光を前記第２導光部方向に屈曲させることを特徴としている。
【００４９】
上記の構成によれば、屈曲部用第１反射面により、前記所定の面の反対面側から入射した外部光を前記第１導光部方向に屈曲させることができる。また、屈曲部用第２反射面により、前記所定の面の反対面側から入射した外部光を前記第２導光部方向に屈曲させることができる。
【００５０】
したがって、簡易な構成で屈曲部を構成することができるという効果を奏する。
【００５１】
また、本発明に係る導光板は、上記の導光板において、前記屈曲部用第１反射面と屈曲部用第２反射面とは同一形状であって隣接すると共に、三角柱の２つの側面を形成するものであり、前記隣接することにより形成される線を交線とし、前記所定の面に垂直な面であって、かつ、前記交線を含む面を特定面とすると、さらに、前記屈曲部用第１反射面と屈曲部用第２反射面とは、前記特定面に対して同じ角度で、互いに異なる方向に傾斜していることを特徴としている。
【００５２】
上記の構成によれば、上記特定面上のある位置から上記所定の面の方向に外部光を照射することにより、屈曲部用第１反射面と屈曲部用第２反射面とで反射する光の光量を同一にできる。
【００５３】
したがって、第１導光部と第２導光部とに対して、同一の光量の光を入射させることができる。
【００５４】
また、本発明に係る導光板は、上記の導光板において、前記他の導光部は、前記所定の面の反対面側から入射した外部光であって、かつ、前記屈曲部で屈曲することなく該他の導光部に直接入射した外部光を、全反射させて内部で導光させると共に、前記複数の反射面で、前記第１の方向に反射させて前記導光部に入射させることを特徴としている。
【００５５】
上記の構成によれば、屈曲部で屈曲されなかった外部光に関しても、上記他の導光部内で導光できると共に、該導光した光を、第１の方向に反射させて前記導光部に入射させることができる。
【００５６】
それゆえ、前記所定の面から射出する光の光量が、前記所定の面の反対面側から入射する外部光の放射特性に影響を受けにくくなる。
【００５７】
したがって、多くの光量の光を、前記所定の面から射出することができるという効果を奏する。
【００５８】
また、本発明に係る照明装置は、上記の課題を解決するため、上記の導光板と、前記外部光を発光する発光素子とを備えることを特徴としている。
【００５９】
上記の構成によれば、上述した、導光板で得られた効果を、照明装置でも奏することができるという効果を奏する。
【００６０】
また、本発明に係る導光板は、上記の課題を解決するため、上記の導光板と、前記外部光を発光する発光素子とを備え、前記発光素子の発光面が、前記特定面に対して対称となる位置に、発光素子が配置されていることを特徴としている。
【００６１】
上記の構成によれば、上記特定面に対して対称となる位置から、上記所定の面の方向に、外部光を照射することができる。
【００６２】
したがって、屈曲部用第１反射面と屈曲部用第２反射面とで反射する光の光量を同一にできる照明装置を提供可能となるという効果を奏する。
【００６３】
また、本発明に係る照明装置は、上記の照明装置において、前記外部光は、ＬＥＤが発する光であることを特徴としている。
【００６４】
上記の構成によれば、外部光は、ＬＥＤが発する光である。
【００６５】
したがって、外部光を発する光源としてＬＥＤを用いることができる。
【発明の効果】
【００６６】
本発明に係る導光板は、以上のように、第１の方向から入射する所定光を、所定の面に沿って導光させながら、前記所定の面から外部に射出する導光部を備えた導光板において、前記所定の面の反対面側から入射した外部光を、一度の反射により、第２の方向に屈曲させる屈曲部と、前記第２の方向に屈曲させた外部光を、全反射させて内部で導光させると共に、複数の反射面で、前記第１の方向に反射させて前記導光部に入射させる他の導光部とを備え、前記屈曲部からの距離が遠い反射面ほど、反射面の面積が大きく設定されている構成である。
【００６７】
したがって、バックライト装置の薄型化、およびバックライト装置の発光面の大型化に好適な導光板を提供することができるという効果を奏する。また、外部光を発する光源として、点光源を用いることができるという効果も奏する。さらに、各反射面の面積が同じである場合よりも、均一な光量の光を、上記所定の面から外部に射出することができるという効果も奏する。
【００６８】
また、本発明に係る照明装置は、以上のように、上記の導光板と、前記外部光を発光する発光素子とを備える構成である。
【００６９】
したがって、上述した、導光板で得られた効果を、照明装置でも奏することができるという効果を奏する。
【００７０】
また、本発明に係る導光板は、以上のように、上記の導光板と、前記外部光を発光する発光素子とを備え、前記発光素子の発光面が、前記特定面に対して対称となる位置に、発光素子が配置されている構成である。
【００７１】
したがって、屈曲部用第１反射面と屈曲部用第２反射面とで反射する光の光量を同一にできる照明装置を提供可能となるという効果を奏する。
【発明を実施するための最良の形態】
【００７２】
本発明の一実施形態について図１ないし図１４に基づいて説明すると以下の通りである。
【００７３】
図１は、本発明に係るバックライトの概略構成を示した斜視図である。同図に示すとおり、バックライト（照明装置）１は、導光板２とＬＥＤ部（発光素子）３とを備えている。
【００７４】
ここで、導光板２は、例えば、１枚の透明基板を加工し、加工後の基板に表面処理を行うことにより、一体形成することができる。以下では、説明の便宜上、導光板２を複数の部に区分けして、導光板２の構成を説明することとする。
【００７５】
導光板２は、同図に示すとおり、導光部（第３導光部）１１、導光部（第４導光部）１２、導光部１３、導光部１４、導光部（他の導光部・第１導光部）１５、導光部（他の導光部・第２導光部）１６、および屈曲部１７を備えている。
【００７６】
ここで、屈曲部１７は、導光部１３と導光部１４とに挟まれている。さらに、屈曲部１７は、導光部１５と導光部１６とに挟まれている。
【００７７】
また、以下の説明では、導光部１１と導光部１２とが、屈曲部１７、導光部１５、および導光部１６に対して、互いに対称となる形状を有しているとする。さらに、導光部１３と導光部１４とが、屈曲部１７に対し、互いに対称となる形状を有しているとする。また、導光部１５と導光部１６とが、屈曲部１７に対し、互いに対称となる形状を有しているとする。
【００７８】
また、導光部１１と導光部１２とは同一の材質で構成されている。さらに、導光部１３と導光部１４とは同一の材質で構成されている。また、導光部１５と導光部１６とは同一の材質で構成されている。
【００７９】
このため、以下では、主として、屈曲部１７、導光部１１、導光部１３、および、導光部１５について説明する。なお、導光部１２、導光部１４、および、導光部１６については、概ね、その説明を省略する。
【００８０】
図２は、導光板２の上面図である。また、図３は、導光板２の下面図である。なお、ここでは、説明の便宜上、ＬＥＤ部３側の導光板２の面を上面とし、液晶側の導光板２の面を下面と称している。
【００８１】
導光部１１は、図１に示すとおり、直方体の形状を有している。また、導光部１１は、図１から図３に示すとおり、表面１１ａ〜１１ｇを有している。ここで、表面（所定の面）１１ａは、液晶パネル側の面であり、表面１１ｂは、ＬＥＤ部３側の面である。また、表面１１ｃは、導光部１５に対向する面であり、表面１１ｄは、導光部１６に対向する面である。また、表面１１ｃ・１１ｄは、導光部１３に接している。表面１１ｅは、表面１１ｃ・１１ｄの反対側の面である。さらに、表面１１ｆ・１１ｇは、残りの面であって、導光部１５側の面を表面１１ｆと、導光部１６側の面を表面１１ｇとしている。
【００８２】
導光部１２は、図１から図３に示すとおり、導光部１１と同様な位置に、表面１２ａ〜１２ｇを備えている。つまり、各表面（１２ａ〜１２ｇ）は、それぞれ、導光部１１の各表面（１１ａ〜１１ｇ）と対応している。なお、表面１２ａが、表面１１ａと同様に、特許請求の範囲に記載の所定の面に該当する。
【００８３】
また、少なくとも、導光部１１および導光部１２の内部は、光が導光可能な材質、例えば透明なアクリル材またはガラス材で構成される。さらに、導光部１１の表面１１ｂおよび導光部１２の表面１２ｂは、光を散乱させるための所定のパターンを有している。このパターンとしては、図２６に示したパターンが挙げられる。
【００８４】
なお、上記パターンは、上記のパターンに限定されず、公知の様々なパターンとすることができる。上記パターンは、表面１１ｃ・１１ｄおよび表面１２ｃ・１２ｄから遠ざかる程、パターンを構成する図形が大きくなるものであればよい。なお、以下では、上記図形を、光散乱部と称する。また、表面１１ｂ・１２ｂのうち光散乱部を除いた領域を、非散乱領域と称する。
【００８５】
導光部１３は、図１に示すとおり、直方体の形状を有している。また、導光部１３は、図１から図３に示すとおり、表面１３ａ〜１３ｄを有している。ここで、表面１３ａは、液晶パネル側の面であり、表面１３ｂは、ＬＥＤ部３側の面である。また、表面１３ｃは、表面１１ｃと導光部１５とに接する面であり、表面１３ｄは、表面１１ｄと導光部１６とに接する面である。
【００８６】
導光部１４は、図１から図３に示すとおり、導光部１３と同様な位置に、表面１４ａ〜１４ｄを備えている。つまり、各表面（１４ａ〜１４ｄ）は、それぞれ、導光部１３の各表面（１３ａ〜１３ｄ）と対応している。
【００８７】
ここで、導光部１３および導光部１４は、導光部１１と導光部１２と同様に、光が導光可能な材質、例えば透明なアクリル材またはガラス材で構成される。
【００８８】
屈曲部１７は、図４に示すとおり、表面１７ａ〜１７ｃを備えている。表面１７ａは、液晶パネル側の面である。また、表面（屈曲部用第１反射面）１７ｂは、ＬＥＤ部３側の面であって、かつ、導光部１５に接する面である。また、表面（屈曲部用第２反射面）１７ｃは、ＬＥＤ部３側の面であって、かつ、導光部１６に接する面である。
【００８９】
また、表面１７ｂと表面１７ｃとは隣接しており、その交線は、導光部１５の後述する表面５２ｋ・５３ｋに対し、平行となっている。さらに、表面１７ｂと表面１７ｃとは、同じ形状を有している。また、表面１７ａに垂直な面であって、上記交線を通る面を第１仮想面とした場合、表面１７ｂと表面１７ｃとは、図５に示すとおり、第１仮想面に対して、反対方向にそれぞれ所定の角度（θ）傾斜している。
【００９０】
また、屈曲部１７の表面１７ｂと表面１７ｃとは、光を反射する材料（例えば、アルミニウム）で構成されている。尚、屈曲部１７による光の影が生じることを防ぐため、表面１７ｂと表面１７ｃとを、光を少し透過する材料（例えば、白色の塗料）で構成するか、あるいは、光を完全に遮断する反射材（例えば、アルミニウム）の場合には、屈曲部１７の一部から光を漏らす構造を有する構成とすることが好ましい。
【００９１】
図６は、導光部１５を示した斜視図である。図７は、図２のＢＢ′線矢視断面図である。導光部１５は、図６に示すとおり、第１部材５１、第２部材５２、および第３部材５３を備えている。
【００９２】
第１部材５１は、図６および図７に示すとおり、板状の形状（より詳しくは、一部に凸部を有する板状の形状）を有している。また、第１部材５１は、表面５１ａおよび表面５１ｂを備えている。表面５１ａは、液晶パネル側の面である。また、表面５１ｂは、ＬＥＤ部３側の面である。
【００９３】
第２部材５２および第３部材５３は、第１部材５１上に配されている。より詳しくは、両部材５２・５３は、表面５２ｂを含む平面上に形成されている。また、第２部材５２と第３部材５３とは、上記第１仮想面に垂直な面であって、かつ、表面１７ｂの中心を通る面（以下、第２仮想面）に対して、対称となる形状を有している。
【００９４】
また、図７に示すとおり、第２部材５２は、ＬＥＤ部３側に、表面５１ａと平行となる表面５２ａ〜５２ｃを備えている。さらに、第２部材５２は、ＬＥＤ部３側に、屈曲部１７から近い順に溝部５２ｔ１と溝部５２ｔ２とを有している。
【００９５】
溝部５２ｔ１および溝部５２ｔ２は、互いに平行に、かつ、直線状に形成されている。また、溝部５２ｔ１および溝部５２ｔ２は、上記第１仮想面に対して、所定の角度だけ傾斜している。この傾斜の角度は、後述する表面５２ｅおよび表面５２ｈにて、第２部材５２中を導光する光が十分に全反射可能な角度に設定されている。
【００９６】
さらに、溝部５２ｔ１および溝部５２ｔ２は、それぞれ、各溝部の延設方向に垂直となる断面が、コの字形状となっている。さらに、溝の深さに関しては、溝部５２ｔ２の方が溝部５２ｔ１よりも深くなるように形成されている。また、溝の長さ（延設方向の長さ）に関しては、溝部５２ｔ１と溝部５２ｔ２とでは、同一である。
【００９７】
また、溝部５２ｔ１が形成されていることにより、第２部材５２には、ＬＥＤ部３側に、溝部５２ｔ１の一壁面であって、表面５１ａと平行となる表面５２ｄが形成されている。また、溝部５２ｔ１の存在により、第２部材５２には、屈曲部１７から近い順に、溝部５２ｔ１の壁面であって、表面５１ａと垂直となる表面（反射面）５２ｅと表面５２ｆとが形成されている。
【００９８】
また、溝部５２ｔ２が形成されていることにより、第２部材５２には、ＬＥＤ部３側に、溝部５２ｔ２の一壁面であって、表面５１ａと平行となる表面５２ｇが形成されている。また、溝部５２ｔ２の存在により、第２部材５２には、屈曲部１７から近い順に、溝部５２ｔ２の壁面であって、表面５１ａと垂直となる表面（反射面）５２ｈと表面５２ｉとが形成されている。
【００９９】
また、屈曲部１７の反対側に位置する、第２部材５２の端面である表面（反射面）５２ｊは、表面５２ｅ、表面５２ｆ、表面５２ｈ、および表面５２ｉに平行に形成されている。この表面５２ｊは、矩形状を有しており、表面５１ｂに垂直となる辺の長さは、溝部５２ｔ２の深さよりも大きな値となっている。また、表面５２ｊにおける表面５１ｂと平行になる辺の長さは、溝部５２ｔ１および溝部５２ｔ２の長さと同一である。
【０１００】
以上のように、少なくとも、表面５２ｅ、表面５２ｈ、および表面５２ｊは、互いに平行な面であって、表面１１ａと垂直な辺の長さは、屈曲部１７から遠い位置の面ほど、長く設定されている。また、各面（５２ｅ・５２ｈ・５２ｋ）における表面１１ａと平行な辺の長さは、同一である。その結果、各面（５２ｅ・５２ｈ・５２ｋ）の面積は、屈曲部１７から遠い面ほど大きくなっている。
【０１０１】
さらに、第２部材５２は、上記第１仮想面と平行な表面であって、屈曲部１７の表面１７ｂに隣接する表面５２ｋを有している。さらに、第２部材は、第３部材に対向する表面５２ｍと、導光部１１に対向する面を表面５２ｎとを備えている。
【０１０２】
また、第３部材５３に関しても、図６に示すとおり、第２部材５２と同様な位置に、表面５３ａ〜５３ｋ、５３ｍ、および５３ｎを有している。つまり、各面（５３ａ〜５３ｋ、５３ｍ、５３ｎ）は、それぞれ、第２部材５２の各面（５２ａ〜５２ｋ、５２ｍ、５２ｎ）と対応している。なお、表面５３ｅ・５３ｈ・５３ｊが、特許請求の範囲に記載の反射面に該当する。
【０１０３】
なお、導光部１５の各部材５１〜５３は、導光部１１および導光部１２の内部と同じ材料で構成できる。
【０１０４】
導光部１６は、上記第１仮想面に対して、導光部１５と対称な形状を有している。なお、以下では、導光部１５の表面５１ａに対応する導光部１６の表面（液晶パネル側の表面）を表面６１ａと称する。
【０１０５】
また、表面１１ａと、表面１２ａと、表面１３ａと、表面１４ａと、表面５１ａと、表面６１ａと、表面１７ａとにより、１つの平面（以下、液晶側平面と称する）を形成している。また、上記液晶側平面は、長方形の形状を有している。
【０１０６】
ＬＥＤ部３は、赤色（Ｒ）を発光する発光ダイオード（以下、赤色ＬＥＤ）、緑色（Ｇ）を発光する発光ダイオード（以下、緑色ＬＥＤ）、および、青色（Ｂ）を発光する発光ダイオード（以下、青色ＬＥＤ）の３つの発光ダイオード（ＬＥＤ）で構成されている。この構成により、白色の光（外部光）を発することができる。また、各発光ダイオードは、図８に示すとおり、各発光ダイオードの発光面が、前記第１仮想面上となり、かつ、該第１仮想面が各発光面を均等に分割する位置に配されている。なお、各ＬＥＤが、特許請求の範囲に記載の発光素子に該当する。
【０１０７】
次に、ＬＥＤ部３を発光させた場合における、該光の光路について、図９から図１２に基づいて説明する。なお、導光板２は、上記第１仮想面に対して対称な形状であるため、以下では、導光部１５側に送られる光の光路について説明する。さらに、導光部１５は、上記第２仮想面に対して対称な形状であるため、導光部１５側に送られる光のうち、第２仮想面に対して第２部材５２側に送られてくる光の光路について説明する。ただし、以下に示す光路は、一例であって、これに限定されるものではない。
【０１０８】
図９に示すとおり、上記第１仮想面に対して所定の角度（φ）でＬＥＤ部３から射出した光は、屈曲部１７の表面１７ｂで反射する。そして、この反射した光は、表面５２ｋを介して、導光部１５の第２部材５２に入射する。なお、この際、表面５２ｋにより、光は屈折する。また、ＬＥＤ部３から射出した光のうち、表面１７ｂで反射することなく、直接、表面５２ｋから導光部１５の第２部材５２に入射するものもある。
【０１０９】
図１０は、上記φの角度と、表面５２ｋ・５３ｋに入射した直後の光（つまり、表面５２ｋ・５３ｋで屈折した光）の光路（図９のＰ１）が上記液晶側平面となす角（以下、第１角度（α）と称する）との関係を示した図である。なお、同図では、上記θの値を４５°としている。ここで、導光部１５内が、屈折率が１．５のアクリル材で構成されている場合には、上記第１角度が略４８°を超えると導光部１５の表面５１ａおよび表面５２ａ（境界面）においては、光は全反射を行えない。しかしながら、上記の構成では、図１０に示すとおり、φが最大値（ここでは略３８°）であっても、導光部１５の表面５１ａ・５２ａにおいて全反射を起こすことができる。また、上記のように、上記αの値は、上記φの値に応じて変化する。
【０１１０】
ここで、上記のように第２部材５２に入射した光について説明する。
【０１１１】
第２部材５２に入射した或る光（以下、第１光）は、図１１（ａ）（ｂ）に示す光路（１）を通り、表面５１ａにおいて全反射する。また、この表面５１ａにて全反射した光は、同図の光路（２）を通り、表面５２ａにおいて全反射する。さらに、表面５２ａにて全反射した光は、同図の光路（３）を通り、表面５２ｅにて全反射する。また、この表面５２ｅにて全反射した光は、同図の光路（４）を通り、表面５２ｎに到達する。この表面５２ｎに到達した光は、同図の光路（５）を通り、導光部１１の表面１１ｃを介して導光部１１に入射する。
【０１１２】
なお、上記においては、表面５２ｅにおいて全反射するまでに、表面５１ａおよび表面５２ａにおいて全反射する光の例を挙げたが、表面５２ｅにて全反射する光は、上記第１光に限定されるものではない。例えば、表面５１ａまたは表面５２ａで反射する光もあれば、表面５１ａおよび表面５２ａの何れにおいても反射することなく、直接、表面５２ｅに到達する光もある。さらに、表面５２ｎにおいて全反射し、表面５２ｅに到達する光もある。
【０１１３】
また、第２部材５２に入射した他の或る光（以下、第２光）は、図１２（ａ）（ｂ）に示す光路（１１）を通り、表面５１ａにおいて全反射する。また、この表面５１ａにて全反射した光は、同図の光路（１２）を通り、表面５２ｂにおいて全反射する。つまり、表面５１ａにて全反射した光は、表面５２ｅにて全反射することなく、第２部材５２内を進む。さらに、表面５２ｂにて全反射した光は、同図の光路（１３）を通り、表面５２ｈにて全反射する。また、この表面５２ｈにて全反射した光は、同図の光路（１４）を通り、表面５２ｎに到達する。この表面５２ｎに到達した光は、同図の光路（１５）を通り、導光部１１の表面１１ｃを介して導光部１１に入射する。
【０１１４】
なお、表面５２ｈにて全反射する光は、上記第２光に限定されるものではない。
【０１１５】
また、第２部材５２に入射した、さらに他の光（第３光）は、図１３（ａ）（ｂ）に示す光路（２１）を通り、表面５１ａにおいて全反射する。また、この表面５１ａにて全反射した光は、同図の光路（２２）を通り、表面５２ｂにおいて全反射する。つまり、表面５１ａにて全反射した光は、表面５２ｅに到達することなく、第２部材５２内を進む。
【０１１６】
さらに、表面５２ｂにて全反射した光は、同図の光路（２３）を通り、表面５１ａにて全反射する。また、この表面５１ａにて全反射した光は、同図の光路（２４）を通り、表面５２ｃにて全反射する。つまり、表面５２ｂにて全反射した光は、表面５２ｈに到達することなく、第２部材５２内を進む。
【０１１７】
また、表面５２ｃにて全反射した光は、同図の光路（２５）を通り、表面５２ｊにて全反射をする。さらに、表面５２ｊにて全反射した光は、同図の光路（２６）を通り、表面５２ｎに到達する。この表面５２ｎに到達した光は、同図の光路（２７）を通り、導光部１１の表面１１ｃを介して導光部１１に入射する。
【０１１８】
なお、表面５２ｊにて全反射する光は、上記第３光に限定されるものではない。
【０１１９】
また、上記の説明においては、説明の便宜上、３つの場合に分けて光の進み方を説明したが、実際には、表面５２ｋの全面を介して、様々な入射角度で光が第２部材５２に入射する。それゆえ、表面５２ｅの全面、表面５２ｈの全面、表面５２ｊの全面で全反射が起こる。
【０１２０】
なお、表面５２ｅに到達しても、該表面５２ｅにて全反射せずに、第２部材５２から出射る光もある。これは、表面５２ｈに到達した光、および表面５２ｊに到達した光に関しても同様である。
【０１２１】
次に、第２部材５２の表面５２ｎから、導光部１１の表面１１ｃを介して、導光部１１に入射した光（所定光）の光路について、図１４に基づいて説明する。図１４は、図２のＣＣ′矢視断面図である。
【０１２２】
導光部１１に入射した光は、同図に示すとおり、表面１１ａおよび表面１１ｂの非散乱領域（つまり境界面）において全反射して、導光部１１内を進む。さらに、上記入射した光のうち、表面１１ｂの散乱部に照射された光は、この散乱部により散乱される。そして、この散乱した光のうち、表面１１ａ等において全反射をしない光が、表面１１ａから射出する。これにより、液晶パネルに光を照射することができる。
【０１２３】
また、屈曲部１７の表面１７ｂによって反射した或る外部光の中には、導光部１５内を通過することなく、導光部１３に入射する光もある。このように導光部１３に入射した光は、直接導光部１１に入射することとなる。そして、その後、この光は、導光部１１により、液晶パネル側に射出される。
【０１２４】
ところで、導光部１５に多くの光量を入射させるためには、表面５２ｅ、表面５２ｈ、および表面５２ｊを、光が散乱または反射する構成としておくことが好ましい。例えば、上記各面を、白色の塗料（薄膜）で構成すればよい。
【０１２５】
また、液晶パネル側に多くの光量の光を送るためには、導光部１５の表面５２ａ・５２ｂ・５２ｃを、光を効率よく反射する材料（例えば、白色塗料の薄膜）で構成することが好ましい。
【０１２６】
ここで、表面５２ｎから表面１１ｃに向かう方向を第１の方向と称し、表面１７ｂから表面５２ｋに向かう方向を第２の方向と称すると、導光板２は、第１の方向から入射する所定光を、表面（所定の面）１１ａに沿って導光させながら、表面１１ａから外部に射出する導光部１１を備えた導光板であって、表面１１ａの反対面側から入射した外部光を、一度の反射により、第２の方向に屈曲させる屈曲部１７と、第２の方向に屈曲させた外部光を、全反射させて内部で導光させると共に、複数の表面（反射面）（５２ｅ・５２ｈ・５２ｊ）で、第１の方向に反射させて導光部１１に入射させる導光部（他の導光部）１５とを備え、屈曲部１７からの距離が遠い反射面ほど、反射面の面積が大きく設定されている構成である。
【０１２７】
この構成によれば、屈曲部１７により、表面１１ａの反対面側から入射した外部光を、一度の反射により、第２の方向に屈曲させることができる。また、導光部１５により、第２の方向に屈曲した外部光を、複数の反射面で、第１の方向に反射させて導光部１１に入射させることができる。さらに、この第１の方向に反射して導光部に入射してきた光を、導光部１１により、所定の面から外部に射出することができる。
【０１２８】
それゆえ、一度の反射により、導光部１５に光を導くことができるため、複数回の反射を行わせる構成に比べて、導光板自体を薄型化できる。
【０１２９】
また、導光部１１において上記所定光を表面１１に沿って導光させるため、従来の直下式のバックライトの構成に比べて、外部光を発する光源を、導光板の上記反対面の近くに設置することができる。さらに、外部光を発光する光源を、導光板のエッジ部に設置する必要がないため、従来のエッジ式のバックライトの構成に比べ、容易に、上記所定の面をマトリクス状に組み合わせることができる。このため、容易に発光面を大きくすることができる。
【０１３０】
したがって、導光板２は、バックライト装置の薄型化、およびバックライト装置の発光面の大型化に好適な導光板となる。
【０１３１】
さらに、導光部１５により、外部光を、複数の反射面で、導光部１１の方向であって、かつ、上記第１の方向に反射させる。このため、外部光を発する光源として点光源を用いた場合であっても、導光部１１に線状の光を上記所定光として入射させることができる。さらに、導光部１１により、この線状の光を、面状の光として、上記所定の面から射出できる。
【０１３２】
したがって、外部光を発する光源として、点光源を用いることができる。
【０１３３】
ところで、導光部１５の各反射面（表面５２ｅ・５２ｈ・５２ｊ）では上述した光の反射が起こるため、導光部１５内で全反射して導光される光（外部光）の光量は、屈曲部１７からの距離が遠くなるにつれ、少なくなる。それゆえ、各反射面の面積が同じである場合には、屈曲部１７からの距離が遠い反射面ほど、反射する光の光量（反射光量）が減少してしまう。
【０１３４】
しかしながら、本発明の導光板２では、屈曲部１７からの距離が遠い反射面ほど、反射面の面積が大きく設定されている。このため、各反射面の面積が同じである場合に比べて、上記反射光量の減少量を少なくできる。
【０１３５】
それゆえ、各反射面の面積が同じである場合に比べ、均一な光量の光（所定光）を、上記導光部に入射させることができる。したがって、導光板２では、各反射面の面積が同じである場合よりも、均一な光量の光を、上記所定の面から外部に射出することができる。
【０１３６】
一方、表面５３ｎから表面１２ｃに向かう方向を第１の方向と称し、表面１７ｂから表面５３ｋに向かう方向を第２の方向と称すると、導光板２は、第１の方向から入射する所定光を、表面（所定の面）１２ａに沿って導光させながら、表面１２ａから外部に射出する導光部１２を備えた導光板であって、表面１２ａの反対面側から入射した外部光を、一度の反射により、第２の方向に屈曲させる屈曲部１７と、第２の方向に屈曲させた外部光を、全反射させて内部で導光させると共に、複数の表面（反射面）（５３ｅ・５３ｈ・５３ｊ）で、第１の方向に反射させて導光部１２に入射させる導光部（他の導光部）１５とを備え、屈曲部１７からの距離が遠い反射面ほど、反射面の面積が大きく設定されている構成であるとも言える。この場合も、上記と同様の効果を得られる。
【０１３７】
また、導光板２は、以上のように、上記第２の方向にて隣接する反射面同士が、互いに、平行に配されている構成である。この構成によれば、上記第２の方向にて隣接する反射面同士は、互いに、平行に配されているため、反射面が互いに平行に配されていない場合に比べ、上記導光部に対して均一に光を入射させることができる。したがって、反射面が互いに平行に配されていない場合よりも、均一な光量の光を、上記所定の面から外部に射出することができる。
【０１３８】
また、導光板２は、以上のように、各反射面は、表面１１ａ（表面１２ａ）に対して垂直に形成されている構成である。この構成によれば、各反射面は、表面１１ａ（表面１２ａ）に対して垂直に形成されているため、反射面が表面１１ａ（表面１２ａ）に対して垂直に形成されていない場合に比べ、効率よく、上記導光部に光を入射することができる。したがって、反射面が表面１１ａ（表面１２ａ）に対して垂直に形成されていない場合よりも、多くの光を、表面１１ａ（表面１２ａ）から外部に射出することができる。
【０１３９】
また、導光板２は、以上のように、前記各反射面が、矩形状を有すると共に、表面１１ａ（表面１２ａ）に平行な辺と、表面１１ａ（表面１２ａ）に垂直な辺とを有しており、上記平行な辺の長さは、各反射面で同一であって、上記垂直な辺の長さが、屈曲部１７から遠い位置の反射面ほど、長く設定されている構成である。
【０１４０】
この構成によれば、表面１１ａ（表面１２ａ）に平行な辺の長さは、各反射面で同一であって、かつ、表面１１ａ（表面１２ａ）に垂直な辺の長さは、屈曲部１７から遠い位置の反射面ほど、長く設定されている。したがって、屈曲部１７から遠い位置の反射面ほど、反射面の面積を大きく設定することができる。
【０１４１】
また、導光板２は、以上のように、導光部１５は、表面１１ａ（表面１２ａ）の反対面に、複数の溝部（５２ｔ１・５２ｔ２）を備え、各溝部（５２ｔ１・５２ｔ２）は、互いに、溝の延設方向の長さが同一であって、屈曲部１７からの距離が遠い溝部ほど、溝部の深さが深く設定されており、各溝部に関し、溝部における屈曲部１７側の壁面（表面５２ｅ・５２ｈ）が上記反射面を構成している構成である。
【０１４２】
この構成によれば、各溝部（５２ｔ１・５２ｔ２）は、互いに、溝の延設方向の長さが同一であって、かつ、屈曲部からの距離が遠い溝部ほど、溝部の深さが深く設定されているため、屈曲部１７から遠い位置の溝部ほど、屈曲部１７側の壁面の面積を大きく設定することができる。さらに、屈曲部１７側の壁面が上記反射面を構成している。
【０１４３】
したがって、屈曲部１７から遠い位置の反射面ほど、反射面の面積を大きく設定することができる。
【０１４４】
また、導光板２は、以上のように、導光部（第１導光部）１５と導光部（第２導光部）１６とを備え、導光部１５と導光部１６とは、屈曲部１７を挟んで配され、屈曲部１７は、上記外部光を、第２の方向であって、かつ、導光部１５の方向となる方向（以下、第１導光部方向）と、第２の方向であって、かつ、導光部１６の方向となる方向（以下、第２導光部方向）とに、屈曲させる構成である。
【０１４５】
この構成によれば、屈曲部１７により、表面１１ａ（表面１２ａ）の反対面側から入射した外部光を、それぞれ一度の反射により、上記第１導光部方向と第２導光部方向とに屈曲させることができる。したがって、屈曲部１７の両側にある、２つの導光部（導光部１５および導光部１６）を介して、導光部１１および導光部１２の各表面（１１ａ・１２ａ）から光を射出することができる。
【０１４６】
また、導光板２は、以上のように、導光部（第３導光部）１１と導光部（第４導光部）１２とを備え、導光部１１と導光部１２とは、屈曲部１７、導光部１５、および導光部１６を挟んで配され、導光部１５および導光部１６の両導光部とも、各導光部の内部で導光させた光を、上記第１の方向であって、かつ、導光部１１の方向となる方向（以下、第３導光部方向）と、前記第１の方向であって、かつ、導光部１２の方向となる方向（以下、第４導光部方向）とに、屈曲させる構成である。
【０１４７】
この構成によれば、導光部１５により、該導光部１５の内部で導光させた光を、第３導光部方向と、第４導光部方向とに、屈曲させることができる。また、導光部１６により、同様に、該導光部１６の内部で導光させた光を、上記第３導光部方向と上記第４導光部方向とに、屈曲させることができる。
【０１４８】
したがって、２つの導光部（導光部１５および導光部１６）を介して、屈曲部１７、導光部１５、および導光部１６の両側にある、２つの導光部（導光部１１および導光部１２）の表面（１１ａ・１２ａ）から光を射出することができる。
【０１４９】
また、導光板２は、以上のように、屈曲部１７は、上記外部光を反射する表面（屈曲部用第１反射面）１７ｂと表面（屈曲部用第２反射面）１７ｃとを有し、表面１７ｂが、上記外部光を上記第１導光部方向に屈曲させ、かつ、表面１７ｃが、上記外部光を第２導光部方向に屈曲させる構成である。
【０１５０】
この構成によれば、表面１７ｂにより、外部光を第１導光部方向に屈曲させることができる。また、表面１７ｃにより、外部光を第２導光部方向に屈曲させることができる。したがって、簡易な構成で屈曲部１７を構成することができる。
【０１５１】
また、導光板２は、以上のように、表面１７ｂと表面１７ｃとは同一形状であって隣接すると共に、三角柱の２つの側面を形成するものであり、表面１７ｂと表面１７ｃとは、第１仮想面（特定面）に対して同じ角度で、互いに異なる方向に傾斜している構成である。
【０１５２】
この構成によれば、上記第１仮想面上のある位置から表面１１ａ・表面１２ａの方向に外部光を照射することにより、表面１７ｂと表面１７ｃとで反射する光の光量を同一にできる。したがって、導光部１５と導光部１６とに対して、同一の光量の光を入射させることができる。
【０１５３】
ところで、上述したように、ＬＥＤ部３から射出した光のうち、表面１７ｂで反射することなく、直接、表面５２ｋから導光部１５の第２部材５２に入射する光もある。この場合には、導光部１５は、屈曲部１７で屈曲することなく該導光部１５に直接入射した光を、全反射させて内部で導光させると共に、上記各反射面（５２ｅ・５２ｈ・５２ｊ）で、上記第１の方向に反射させて導光部１１に入射させる。
【０１５４】
このため、屈曲部１７で屈曲されなかった外部光に関しても、導光部１５内で導光できると共に、該導光した光を、上記第１の方向に反射させて導光部１１に入射させることができる。それゆえ、前記表面１１ａから射出する光の光量が、表面１１ａの反対面側から入射する外部光の放射特性に影響を受けにくくなる。したがって、多くの光量の光を、表面１１ａから射出することができる。
【０１５５】
また、導光板２においては、導光部１１と導光部１５の第２部材５２との間に隙間が存在する。つまり、第２部材５２には、表面５２ｎが設けられている。この表面５２ｎにより、導光部１５に入射した光の一部を全反射させて、表面５２ｊ方向に導光させることができるようになる。なお、表面５３ｎに関しても、同様である。
【０１５６】
さらに、第２部材５２と第３部材５３との間に隙間が存在する。つまり、第２部材５２に関しては、表面５２ｍが設けられている。この表面５２ｍにより、導光部１５に入射した光の一部を全反射させて、表面５２ｊ方向に導光させることができるようになる。なお、表面５３ｍに関しても、同様である。
【０１５７】
また、表面１１ａおよび表面１２ａから射出される光量を多くするためには、表面１１ｅ、表面１１ｆ、表面１１ｇ、表面１２ｅ、表面１２ｆ、および表面１２ｇを、光が散乱または反射する構成としておくことが好ましい。例えば、上記各面を、白色の塗料（薄膜）で構成すればよい。
【０１５８】
さらに、表面１１ｂおよび表面１２ｂに対向するように、反射シートを載置する構成とすれば、表面１１ａおよび表面１２ａから射出される光量をより多くすることができる。
【０１５９】
ところで、上記の導光板２においては、表面５２ｋ・５３ｋが、上記液晶側平面に対して垂直となる構成とした。しかしながら、これに限定されず、例えば、図１５に示すとおり、表面５２ｋ・５３ｋを、表面１７ｂで屈曲（反射）させた光を上記液晶側平面の方向に屈折させる向きに、上記第１仮想面に対して傾斜させてもよい。具体的には、表面５２ｋ・５３ｋと表面１７ｂとがなす角を、導光板２よりも大きな値としてもよい。
【０１６０】
ここで、図１６に、上記θの値を４５°とし、かつ、上記δの値を変化させた場合における、上記φと上記αとの関係を示す。
【０１６１】
同図に示すとおり、上記δの値を大きくすると、上記αの値も大きくなる。つまり、δの値を大きくすると、上記表面５１ａへの入射角を小さくできる。また、同図に示すとおり、上記δの値を４５°とし、上記φが最大値をとった場合であっても、αの値は４８°以上とはならない。つまり、導光部１５の表面において、全反射を起こすことができる。
【０１６２】
さらに、上記δの値を大きくするほど、導光部１５内における全反射の回数を多くすることができる。それゆえ、屈曲部１７に近い表面５２ｅ・５３ｅにおいても、導光部１５に入射した外部光を、確実に反射させることができる。したがって、導光部１１の表面１１ｃに均一な光量の光を送ることができる。
【０１６３】
以上のように、導光板２は、上述した外部光が、導光部１５の表面５２ｋ・５３ｋから入射されるものであって、表面５２ｋ・５３ｋが、上記屈曲させた外部光を表面５１ａの方向に屈折させる向きに、表面５１ａと垂直な面に対して傾斜している構成であると言える。
【０１６４】
また、上記の導光板２においては、導光部１１および導光部１２を直方体形状としたが、これに限定されるものではない。例えば、図１７に示すように、導光部１１および導光部１２に、それぞれ表面１１ｂおよび１１ｅと表面１２ｂおよび１２ｅとに隣接する、光を反射する反射材または光を散乱する散乱材で構成された面であって、かつ、上記液晶側平面に対して、それぞれ、表面１１ｃ・１１ｄ側および表面１２ｃ・１２ｄ側に傾斜した傾斜面１１ｈおよび傾斜面１２ｈを設けてもよい。
【０１６５】
つまり、傾斜面１１ｈにおける表面１１ｂとの交線が、該傾斜面１１ｈにおける表面１１ｅとの交線よりも、表面１１ｃ・１１ｄに近くなるように、該傾斜面１１ｈを設けておくと共に、傾斜面１２ｈにおける表面１２ｂとの交線が、該傾斜面１２ｈにおける表面１２ｅとの交線よりも、表面１２ｃ・１２ｄに近くなるように、該傾斜面１２ｈを設けておく。
【０１６６】
この構成によれば、傾斜面１１ｈにおいて、該傾斜面１１ｈから外部へ光を射出することなく、少なくとも導光部１１側に光を反射または散乱させることができる。それゆえ、外部光を効率よく利用することができる。したがって、傾斜面１１ｈを備えない場合に比べ、表面１１ａから射出される光量を多くすることができる。なお、導光部１２側に関しても、上記の導光部１１側と同じである。
【０１６７】
また、傾斜面１１ｈおよび傾斜面１２ｈを設けると共に、表面５２ｋと表面５３ｋとを、上述したように、上記第１仮想面に対して傾斜させてもよい。
【０１６８】
ところで、上記の導光板２においては、導光部１１と導光部１２とが同じ形状であるとして説明したが、これに限定されるものでない。導光部１１の表面１１ａと導光部１２の表面１２ａとの面積が異なっていても、表面１１ｂと表面１２ｂとのパターンを変えることにより、表面１１ａと表面１２ａとから射出される単位面積あたりの光量を同じにすることもできる。したがって、この場合にも、均一な光を、液晶パネル側に照射することができる。また、導光部１１と導光部１２との大きさの比率を変えることにより、ＬＥＤ部３の位置が制限される場合であっても、表面１１ａ・１２ａから光を射出することができる。
【０１６９】
また、上記の導光板２においては、導光部１５と導光部１６とが同じ形状であるとして説明したが、これに限定されるものでない。
【０１７０】
次に、図１８に示すとおり、上記導光板２をマトリクス状（ｎ×ｍ）に配置した場合における、各ＬＥＤの駆動回路および駆動方法について説明する。また、以下の説明では、マトリクスにおける導光板２を導光板Ｐｉｊ（１≦ｉ≦ｎ，１≦ｊ≦ｍ）と表記する。
【０１７１】
図１９に示すとおり、駆動回路７０は、各導光板Ｐｉｊに対応して、ＬＥＤ部３が備えられている。つまり、各導光板Ｐｉｊに対して、それぞれ、赤色ＬＥＤ、緑色ＬＥＤ、および青色ＬＥＤが備えられている。なお、各発光ダイオードは、図８に示した位置に配置する。また、以下では、Ｐｉｊに対応する各発光ダイオードを、ＲＧＢの順に、ｒｉｊ、ｇｉｊ、ｂｉｊとする。
【０１７２】
また、駆動回路７０は、定電圧源７１、定電圧源７２、スイッチング素子Ｑrｉ・Ｑgbｉ、第１制御装置７３、および図示しない第２制御装置を備えている。また、第１制御装置７３は、スイッチング素子Ｓrｊ・Ｓgｊ・Ｓbｊと、記憶部７３ａ、および電流供給部７３ｂを備えている。なお、以下では、スイッチング素子Ｑrｉ・Ｑgbｉ、および、スイッチング素子Ｓrｊ・Ｓgｊ・Ｓbｊとして、トランジスタを用いた場合について、説明する。
【０１７３】
なお、以下では、マトリクス状に配された複数の導光板２と、各導光板２に対応した複数のＬＥＤ部３と、駆動回路７０とをあわせた構成を、導光システムと称する。
【０１７４】
定電圧源７１は、スイッチング素子Ｑrｉを介して、赤色ＬＥＤｒｉ1 、ｒｉ2 、ｒｉ3 、…、ｒｉm  の各入力側端子に一定電圧を印加する。また、定電圧源７２は、スイッチング素子Ｑgbｉを介して、スイッチング素子ｇｉ1 、ｇｉ2 、ｇｉ3 、…、ｇｉm  の各入力側端子、および、スイッチング素子ｂｉ1 、ｂｉ2 、ｂｉ3 、…、ｂｉm  の各入力側端子に一定電圧を印加する。
【０１７５】
また、スイッチング素子Ｑrｉ・Ｑgbｉは、例えば、第２制御装置からの電流が該素子のベース（Ｂ）に流れ込むことにより、コレクタ（Ｃ）側からエミッタ（Ｅ）側へと、定電圧源７１・７２からの電流を流す。また、スイッチング素子Ｑrｉとスイッチング素子Ｑgbｉとは（つまり、同じｉ番目の素子は）、同時に導通状態となるよう、第２制御装置により、同じタイミングで該両素子のベースに電流が流される。また、第２制御装置は、スイッチング素子Ｑrｉ・Ｑgbｉ を導通状態から非導通状態にした後、隣のスイッチング素子Ｑrｉ+1・Ｑgbｉ+1 を同時に導通状態とする。
【０１７６】
次に、第１制御装置７３について説明する。
【０１７７】
記憶部７３ａには、全てのスイッチング素子Ｓrｊ・Ｓgｊ・Ｓbｊ（つまり、３ｍ個の素子）に関し、各素子のベースに流す単位時間あたりの電流量を示す情報が記憶されている。
【０１７８】
電流供給部７３ｂは、全てのスイッチング素子Ｓrｊ・Ｓgｊ・Ｓbｊ（つまり、３ｍ個の素子）を同時に導通状態とするため、全てのスイッチング素子Ｓrｊ・Ｓgｊ・Ｓbｊのベースに対して、同時に電流を流す。この際、電流供給部７３ｂの図示しない制御部は、記憶部７３ａに記憶された上記情報に基づいて、各スイッチング素子に流す上記電流量を決定する。つまり、電流供給部７３ｂの制御部は、各スイッチ素子に対して、それぞれに決められた電流を流す。
【０１７９】
各スイッチング素子Ｓrｊ・Ｓgｊ・Ｓbｊは、上記電流がベースに流れると、この電流の電流量に応じた電流を、コレクタ（Ｃ）側からエミッタ（Ｅ）側へと流す。
【０１８０】
ところで、発光ダイオードは、同じ色を発する素子であっても、その発する光の特性（例えば、輝度や色相）は異なる。したがって、各発光ダイオードの特性に基づいて、色毎に予め定められた光量を各発光ダイオードが発する電流量を、発光ダイオード毎に特定しておき、この特定した電流量に関する情報を記憶部７３ａに記憶させておくことにより、各色の全発光ダイオード（例えば、赤色に関しては、ｒｉ1 、ｒｉ2 、ｒｉ3 、…、ｒｉm  ）が、色毎に定められた均一な光量を発することができる。
【０１８１】
それゆえ、各導光板Ｐｉｊに対応した各ＬＥＤ部３は、単位時間あたり同じ光量の白色光を発することができる。したがって、各導光板Ｐｉｊから、均一な白色光を射出することが可能となる。
【０１８２】
また、発光ダイオードは、時間と共に劣化し、発光時における光量が低下する。そこで、第１制御装置７３の構成を、まず、導光板Ｐｉｊにおける３つの発光ダイオード（ｒｉｊ、ｇｉｊ、ｂｉｊ）を導光板毎に別々のタイミングで発光させると共に、この３つの発光ダイオードについても別々のタイミングで発光させるモードを備えた構成としておく。さらに、駆動回路７０に、発光ダイオードが発光した際に生じる光信号を電気信号に変換するフォトダイオード（変換素子）を、ＬＥＤ部３に対して所定の位置に、ＬＥＤ部３毎に備えておく。
【０１８３】
また、第１制御装置７３の構成を、発光ダイオード毎に得られた上記電気信号を受け付けると共に、受け付けた信号量に応じて、記憶部７３ａに記憶された情報を電流供給部７３ｂの制御部が変更する構成としておく。具体的には、上記のモードで第１制御装置７３を動作させ、上記受け付けた信号量の減少に応じて、各スイッチング素子Ｓrｊ・Ｓgｊ・Ｓbｊのベースに流す電流量が上がるように上記情報を上記制御部が変更する。
【０１８４】
この構成によれば、発光ダイオードが劣化した場合であっても、ある程度の範囲内で、発光ダイオードが発する光量を増加させることができる。
【０１８５】
また、この場合、上記制御部は、各色の発光ダイオードが、少なくとも同一色で同じ光量となるように上記情報を変更することが好ましい。これによれば、常に均一な光を、液晶表示パネル側に照射することができる。
【０１８６】
以上のように、上記導光システムは、導光板２がマトリックス状に配されると共に、各導光板２に対応して、上記外部光を発光するＬＥＤ部（発光素子）３が備えらえた導光システムであって、各ＬＥＤ部３に流す電流量を制御する第１制御装置７３を備える構成であると言える。
【０１８７】
また、上記導光システムは、ＬＥＤ部（発光素子）３が発光した際に生じる光信号を電気信号に変換するフォトダイオード（変換素子）を、発光素子毎に備える構成であると言える。
【０１８８】
また、駆動回路７０は、導光板２がマトリックス状に配されると共に、各導光板２に対応して、上記外部光を発光するＬＥＤ部（発光素子）３が備えらえた装置を照明装置とすると、この照明装置の各ＬＥＤ部３に電流を供給する駆動回路であって、各ＬＥＤ部３に流す電流量を制御する第１制御装置７３を備える構成であると言える。
【０１８９】
また、駆動回路７０は、ＬＥＤ部３が発光した際に生じる光信号を電気信号に変換するフォトダイオード（変換素子）を、ＬＥＤ部３毎に備える構成であるとも言える。
【０１９０】
ところで、上記においては、フォトダイオードをＬＥＤ部３毎に設置したが、これに限定されるものではない。例えば、図２０に示すとおり、隣接する２枚の導光板を組とした場合、組毎に、１つのフォトダイオードを上記隣接部に位置するように備える構成としてもよい。
【０１９１】
つまり、上記導光システムは、隣接する２枚の導光板を組とした場合、組毎に、ＬＥＤ部（発光素子）３が発光した際に生じる光信号を電気信号に変換するフォトダイオード（変換素子）を、前記隣接部に備え、前記組をなす導光板に対応して備えられた各ＬＥＤ部３を、それぞれ異なる時間に発光させた場合、前記フォトダイオードは、前記発光した際に生じる各光信号を、それぞれ電気信号に変換する構成であると言える。
【０１９２】
この構成によれば、１つのフォトダイオードにより、該フォトダイオードに対応して備えられた２つのＬＥＤ部３が、それぞれ発光した際に生じる光信号を、電気信号に変換することができる。それゆえ、各ＬＥＤ部３が発行した際に発する光の光量を、電気信号のレベルとして判断できる。したがって、この電気信号のレベルに応じて、各ＬＥＤ部３に流す電流の量を制御することにより、上記所定の面より、常に、均一な光を射出することができるという効果を奏する。
【０１９３】
さらに、２つのＬＥＤ部３に対して１つのフォトダイオードが備えられているため、１つのＬＥＤ部３に対して１つのフォトダイオードが備えられた構成に比べ、コストを低減することができる。つまり、フォトダイオードの総数を減らすことができるため、駆動回路７０の製造コストを下げることができる。
【０１９４】
また、フォトダイオードは上記隣接部に備えられるため、組をなすＬＥＤ部３が発光した光信号に基づく電気信号のレベルを、同一基準で比較できる。
【０１９５】
さらに、例えば、図２１に示すとおり、２行２列に配された４枚の導光板を組とした場合、組毎に、１つのフォトダイオードを上記組をなす導光板の中心部に位置するように備える構成としてもよい。
【０１９６】
つまり、上記導光システムは、２行２列に配された４枚の導光板を組とした場合、組毎に、ＬＥＤ部（発光素子）３が発光した際に生じる光信号を電気信号に変換するフォトダイオード（変換素子）を、前記組をなす導光板の中心部に備え、前記組をなす導光板に対応して備えられた各ＬＥＤ部３を、それぞれ異なる時間に発光させた場合、前記フォトダイオードは、前記発光した際に生じる各光信号を、それぞれ電気信号に変換する構成であると言える。
【０１９７】
この構成によれば、１つのフォトダイオードにより、該フォトダイオードに対応して備えられた４つの発光素子が、それぞれ発光した際に生じる光信号を、電気信号に変換することができる。それゆえ、各ＬＥＤ部３が発行した際に発する光の光量を、電気信号のレベルとして判断できる。したがって、この電気信号のレベルに応じて、各発光素子に流す電流の量を制御することにより、上記所定の面より、常に、均一な光を射出することができる。
【０１９８】
さらに、４つの発光素子に対して１つのフォトダイオードが備えられているため、１つのＬＥＤ部３に対して１つのフォトダイオードが備えられた構成に比べ、コストを低減することができる。つまり、フォトダイオードの総数を更に減らすことができるため、駆動回路７０の製造コストを更に下げることができる。
【０１９９】
また、フォトダイオードは上記組をなす導光板の中心部に備えられるため、組をなすＬＥＤ部３が発光した光信号に基づく電気信号のレベルを、同一基準で比較できる。
【０２００】
また、図１９では、緑色ＬＥＤと青色ＬＥＤとを同一のラインで駆動させた例を示したが、これに限定されるものではない。例えば、スイッチング素子Ｑgbｉの代わりに、スイッチング素子Ｑgｉとスイッチング素子Ｑbｉといった色毎の素子を設け、緑色ＬＥＤと青色ＬＥＤとを別々に駆動させる構成としてもよい。
【０２０１】
また、導光部１５および導光部１６の形状を、図２２に示すような、屈曲部１７を囲むような形状としてもよい。
【０２０２】
ところで、上記導光板２に対しては、図８に示したように、３つの発光ダイオードを有するＬＥＤ部３を用いたが、これに限定されるものではない。例えば、図２３に示すとおり、赤色ＬＥＤ、緑色ＬＥＤ、および青色ＬＥＤを、それぞれ２つ設け、各色の発光ダイオードを、上記交線に対して対称となる位置に配する構成としてもよい。
【０２０３】
さらに、ＬＥＤ部３が、一色（例えばＲ）の発光ダイオードを１つ備え、他の色の発光ダイオードを２つ備える構成としてもよい。この場合には、図２４に示すとおり、緑色ＬＥＤおよび青色ＬＥＤを、上記交線に対して対称となる位置に配すればよい。
【０２０４】
また、上記実施の形態においては、屈曲部１７の２つの表面１７ｂおよび表面１７ｃを用いて、ＬＥＤ部３部からの光を反射（屈曲）させたが、これに限定されるものではない。
【０２０５】
例えば、ＬＥＤ部３部からの光を反射させる構成であれば、円錐の底面を除いた面のような曲面であってもよい。さらに、四角錐の底面を除いたような４つの面であってもよい。
【０２０６】
また、上記の実施の形態においては、上記表面１７ｂおよび表面１７ｃは、光を効率よく反射する材料で構成したが、表面全域にわたり上記材料で構成する必要はない。ＬＥＤ部３部からの光の一部を屈曲部１７の内部に直接導くために、上記材料で構成される領域と、該該材料を有しない領域とからなるパターンを有していてもよい。
【０２０７】
また、上記では点光源（発光素子）としてＬＥＤを用いたが、これに限定されるものではなく、ＬＥＤ以外の光源を利用してもよい。
【０２０８】
さらに、点光源の代わりに、上記交線にそって線光源を配置していもよい。
【０２０９】
ところで、上記の実施の形態では、例えば、導光部１５の第２部材５２が２つの溝部を備える構成を例に挙げて説明したが、溝部の数は、これに限定されるものではない。
【０２１０】
また、上記においては、各導光部１１〜１６、屈曲部１７を、別々に形成し、各部を接合して導光板２構成してもよい。
【０２１１】
また、導光部１５および導光部１６の形状は、上述した形状に限定されるものではない。例えば、第１部材５１を備えない構成としてもよい。この場合、表面５１ａの代わりに、第２部材および第３部材における、液晶側の面で光を全反射させればよい。
【０２１２】
あくまでも、導光部１５および導光部１６は、少なくとも、屈曲部１７からの距離が遠い反射面ほど、反射面の面積が大きく設定されていればよい。
【０２１３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２１４】
なお、上記実施形態の電流供給部の制御部における処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の電流供給部の各種機能および各種処理を実現することができる。また、上記プログラムをリムーバブルな記録媒体に記録することにより、任意のコンピュータ上で上記の各種機能および各種処理を実現することができる。
【０２１５】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０２１６】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０２１７】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２１８】
また、インターネットを含む通信ネットワークを接続可能なシステム構成であれば、通信ネットワークからプログラムをダウンロードするように流動的にプログラムを担持する記録媒体であることが好ましい。
【０２１９】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０２２０】
パーソナルコンピュータ等のディスプレイ装置、液晶テレビ、および、室内に配置される照明装置等にも適用できる。
【図面の簡単な説明】
【０２２１】
【図１】本実施の形態に係る導光板の斜視図である。
【図２】図１の導光板の上面図である。
【図３】図１の導光板の下面図である。
【図４】上記導光板の屈曲部を拡大した要部拡大図である。
【図５】図２におけるＡＡ′線矢視断面図である。
【図６】上記導光板の導光部の一つを拡大した要部拡大図である。
【図７】図２におけるＢＢ′線矢視断面図である。
【図８】ＬＥＤの配置を示した図である。
【図９】図２におけるＡＡ′線矢視断面であって、光の光路を示した図である。
【図１０】ＬＥＤからの光の放射角度（φ）と、導光部の表面に入射した直後の光の光路が導光部の液晶側平面となす角（α）と、の関係を示したグラフである。
【図１１】（ａ）は、図６の導光部の一部の上面図であって、光の光路を一例を示した図であり、（ｂ）は、（ａ）におけるＤＤ′線矢視断面図である。
【図１２】（ａ）は、図６の導光部の一部の上面図であって、光の光路の他の例を示した図であり、（ｂ）は、（ａ）におけるＥＥ′線矢視断面図である。
【図１３】（ａ）は、図６の導光部の一部の上面図であって、光の光路のさらに他の例を示した図であり、（ｂ）は、（ａ）におけるＦＦ′線矢視断面図である。
【図１４】図２のＣＣ′線矢視断面であって、光の光路を示した図である。
【図１５】他の形態に係る導光板における、図２のＡＡ線矢視断面に対応する断面図である。
【図１６】上記導光部の表面の傾斜角を変更した場合における、上記φとαとの関係を示したグラフである。
【図１７】さらに、他の形態に係る導光板の斜視図である。
【図１８】マトリクス状に配された上記導光板を備える導光システムの発光面を示した図である。
【図１９】上記導光システムの駆動回路を示した図である。
【図２０】フォトダイオードの配置の一例を示した図である。
【図２１】フォトダイオードの配置の他の例を示した図である。
【図２２】他の形態に係る導光板の斜視図である。
【図２３】赤色を発光する発光ダイオード、緑色を発光する発光ダイオード、および青色を発光する発光ダイオードを、それぞれ２つ設けた場合における、各発光ダイオードの配置を示した図である。
【図２４】赤色を発光する発光ダイオードを１つ設け、かつ、緑色を発光する発光ダイオードおよび青色を発光する発光ダイオードを、それぞれ２つ設けた場合における、各発光ダイオードの配置を示した図である。
【図２５】従来の液晶表示装置の断面を示した断面図である。
【図２６】上記液晶表示装置における導光板上の拡散部のパターンの一部を拡大して示した図である。
【図２７】従来の他のバックライトの断面を示した断面図である。
【図２８】従来のエッジ式のバックライトを並列に配した場合の断面を示した断面図である。
【符号の説明】
【０２２２】
１  バックライト（照明装置）
２  導光板
３  ＬＥＤ部（発光素子）
１１  導光部（第３導光部）
１１ａ  表面（所定の面）
１２  導光部（第４導光部）
１２ａ  表面（所定の面）
１３  導光部
１４  導光部
１５  導光部（他の導光部・第１導光部）
１６  導光部（他の導光部・第２導光部）
１７  屈曲部
１７ａ  表面
１７ｂ  表面（屈曲部用第１反射面）
１７ｃ  表面（屈曲部用第２反射面）
５１  第１部材
５２  第２部材
５２ｅ  表面（反射面）
５２ｈ  表面（反射面）
５２ｊ  表面（反射面）
５２ｔ１  溝部
５２ｔ２  溝部
５３  第３部材
５３ｅ  表面（反射面）
５３ｈ  表面（反射面）
５３ｊ  表面（反射面）
７０  駆動回路
【図１】
2006310058.tif 000003
【図２】
2006310058.tif 000004
【図３】
2006310058.tif 000005
【図４】
2006310058.tif 000006
【図５】
2006310058.tif 000007
【図６】
2006310058.tif 000008
【図７】
2006310058.tif 000009
【図８】
2006310058.tif 000010
【図９】
2006310058.tif 000011
【図１０】
2006310058.tif 000012
【図１１】
2006310058.tif 000013
【図１２】
2006310058.tif 000014
【図１３】
2006310058.tif 000015
【図１４】
2006310058.tif 000016
【図１５】
2006310058.tif 000017
【図１６】
2006310058.tif 000018
【図１７】
2006310058.tif 000019
【図１８】
2006310058.tif 000020
【図１９】
2006310058.tif 000021
【図２０】
2006310058.tif 000022
【図２１】
2006310058.tif 000023
【図２２】
2006310058.tif 000024
【図２３】
2006310058.tif 000025
【図２４】
2006310058.tif 000026
【図２５】
2006310058.tif 000027
【図２６】
2006310058.tif 000028
【図２７】
2006310058.tif 000029
【図２８】
2006310058.tif 000030